(57)【要約】衣料のための限られた耐久性を有する固定手段。該衣料には、該固定手段を閉鎖させるよう係合する固定部材が配設され、該固定部材には、閉開される際の該固定手段の閉鎖強度の低下ひいては所定の閉鎖強度を有する該固定手段の許容可能な閉鎖回数を調整するための調整手段が配設されている。該衣料は、足に着用されるものであって低コストで短寿命であることが望ましい場合、又は臨床的又は商業的な理由で再利用しないことが推奨される衣料の場合に特に有用となる。
2009502284.tif 000002
【特許請求の範囲】
【請求項１】
衣料のための限られた耐久性を有する固定手段であって、所定の閉鎖強度で共に固定されるべき少なくとも２つの衣料要素であって、その各衣料要素に該固定手段を閉鎖させるよう互いに係合する固定部材が配設されている、少なくとも２つの衣料要素と、閉開される際の該固定手段の閉鎖強度の低下ひいては所定の閉鎖強度を有する該固定手段の許容可能な閉鎖回数を調整するための調整手段とからなる、衣料のための限られた耐久性を有する固定手段。
【請求項２】
一方の前記固定部材が、接着タブであり、他方の前記固定部材が、閉鎖の実行及び解除が繰り返される際に前記接着タブへ転移することにより前記固定手段の接触強度を劣化させる繊維材料と、接触の実行及び解除が行われる領域における前記転移材料の転移ひいては該固定手段の閉鎖強度を調整するための前記繊維材料に付与される手段とから作成される、請求項１に記載の固定手段。
【請求項３】
前記材料に付与される前記調整手段が、紫外線硬化インク又は接着剤等の結合剤である、請求項２に記載の固定手段。
【請求項４】
前記材料に付与される前記調整手段が、前記材料に取り付けられた別個のフィルム層という形のものである、請求項２に記載の固定手段。
【請求項５】
前記フィルム層が、ポリマーフィルム材料という形のものである、請求項４に記載の固定手段。
【請求項６】
前記結合材料が、前記接着タブから離れる方向に面する側面で前記他方の固定部材に取り付けられ、前記他方の衣料要素に一連のアパーチャが形成されて、前記繊維材料の未処理領域間に介在する１つ又は２つ以上の接触領域において前記結合材料の目立たない領域が露呈する、請求項４又は請求項５に記載の固定手段。
【請求項７】
前記繊維材料の前記１つ又は２つ以上の接触領域及び前記未処理領域が、前記他方の衣料要素上にランダムなグリッドパターンで配設されている、請求項６に記載の固定手段。
【請求項８】
前記１つ又は２つ以上の接触領域及び前記未処理領域が、正方形、矩形、円形、又は六角形等の規則的な形状のものからなる、請求項７に記載の固定手段。
【請求項９】
前記１つ又は２つ以上の接触領域が、交互の繊維材料とそれに隣接する繊維結合材料のランドとが非対称に配置されたストリップから形成される、請求項６に記載の固定手段。
【請求項１０】
複数の前記接触領域における前記繊維結合材料のフィルムが、各領域毎に可変の厚さ又は密度のものからなる、請求項４ないし請求項９の何れか一項に記載の固定手段。
【請求項１１】
前記繊維結合材料の前記フィルムが最初のフィルムコーティングを含み、該最初のフィルムコーティング上に最終的なフィルムコーティングが重畳され、前記繊維材料の調整された厚さ、重量、及び圧縮を有する繊維の繊維結合フィルムが提供されるように前記最終的なコーティングに一連のアパーチャが配設されている、請求項１０に記載の固定手段。
【請求項１２】
前記繊維結合材料が対照的な色のドットという形で付与され、これにより前記接着タブ又は接着処理領域の対照的な色の汚染によって該固定手段の閉鎖強度の劣化レベルを判定することが可能となる、請求項１ないし請求項１１の何れか一項に記載の固定手段。
【請求項１３】
前記繊維結合材料がユーザに対する所定のメッセージという形で付与され、これにより該固定手段の閉開時における前記接着タブへの繊維材料の転移によって該接着タブへ前記メッセージが転写されて閉鎖強度の劣化の指示が与えられる、請求項４ないし請求項１２の何れか一項に記載の固定手段。
【請求項１４】
前記接着タブを有する前記一方の固定部材に、該固定手段を解放するためのプルタブが配設され、該プルタブに、前記他方の固定部材の未処理の繊維材料との閉鎖接触を行うための１つ又は２つ以上の接着要素が配設されており、これにより、異なる接触閉鎖強度のデュアル閉鎖式固定手段が提供される、請求項１３に記載の固定手段。
【請求項１５】
請求項１ないし請求項１４の何れか一項に記載の限られた耐久性を有する固定手段を含む短寿命の足インパルス治療用衣料であって、該衣料が前記衣料要素を２つ含み、その一方の衣料要素が足ラップを形成し、他方の衣料要素が前記足ラップを足に保持するための足首ストラップを形成し、前記足ラップに、所定の圧力及びサイクル時間にしたがって足を周期的にポンピングするために足底動脈弓に配置される膨張可能な空気袋が配設されている、短寿命の足インパルス治療用衣料。
【請求項１６】
短寿命の足インパルス治療用衣料であって、足ラップ及び該足ラップを足に保持するための足首ストラップであって、該足ラップが、所定の圧力及びサイクル時間にしたがって足を周期的にポンピングするために足底動脈弓に配置される膨張可能な空気袋を含む、足ラップ及び足首ストラップと、第１及び第２の固定部材であって、その各々が、前記足ラップを所定位置に保持し及びインパルス圧力下での分離に抗するのに十分な所定の閉鎖強度で前記足ラップを足の周囲に保持するように、前記足首ストラップを前記足ラップに固定し、及び２つの衣料閉鎖部分を有し、その一方に、接着タブ又は接着処理領域が配設され、その他方が、該タブ又は処理領域の接着剤と接触した際に該接着剤を劣化させることができる材料から形成されている、第１及び第２の固定部材と、前記インパルス圧力によって前記固定手段が開くのを防止するために必要な前記接触強度を有する前記第１及び第２の固定装置の閉鎖又はその解除を行う許容可能な回数を決定するように前記接着タブ又は接着処理領域の劣化を調整するために前記材料に付与される手段とを備えている、短寿命の足インパルス治療用衣料。
【請求項１７】
衣料用の限られた耐久性を有する固定手段を提供する方法であって、衣料の１つの衣料固定要素に接着タブ及び／又は接着処理領域を配設し、該衣料のもう１つの衣料固定要素に前記タブ又は処理領域の接着剤との接触時に該接着剤を劣化させることができる材料から形成された１つ又は２つ以上の接触領域を配設し、該１つまたは２つ以上の接触領域と前記タブ又は処理領域との接触が行われた際の該接着剤タブ又は接着処理領域の劣化を調整することにより所定の接触強度を有する前記固定手段の閉鎖及びその解除の許容可能な回数を決定するように該接触領域における前記衣料の材料を変更する、という各ステップを含む、衣料用の限られた耐久性を有する固定手段を提供する方法。
【請求項１８】
前記接着タブ又は接着処理領域を劣化させることができる材料として不織材料を配設するステップを含む、請求項１９に記載の方法。
【請求項１９】
前記衣料の材料が、インク又は接着剤等の液体媒体という形の結合コートを付与し、及び該液体媒体を紫外線硬化させることにより変更される、請求項１８に記載の方法。
【請求項２０】
前記結合コートが気相媒体である、請求項１８に記載の方法。
【請求項２１】
前記結合コートが、ポリマー、ポリエステル、又はPVC材料の何れかの形のフィルム層である、請求項１８に記載の方法。
【請求項２２】
前記フィルム層が前記衣料要素の裏面に付与されて、前記１つ又は２つ以上の接触領域における前記フィルム層が前記不織材料から突出し又は該不織材料と結合する、請求項２１に記載の方法。
【請求項２３】
液体または気相媒体という形の前記結合コートの付与が、負圧の影響下で前記不織材料の裏側に対して所定パターンで付与され、該不織材料上の該結合コートの最終的な厚さ、重量、又は浸透が決定されるように前記負圧を変更する、請求項１９又は２０に記載の方法。
【請求項２４】
見えにくい又は隠された文章、記号、又はアイコンによるメッセージを、画定要素の転移又は除去によって前記接着要素又は不織材料上で１つ又は２つ以上の前記衣料要素上に付与するステップを更に含む、請求項２３に記載の方法。
【請求項２５】
前記接着タブ又は接着処理領域の対照的な汚染によって閉鎖の実行及び解除の限られた回数の視覚的な指示を提供するステップを更に含む、請求項２４に記載の方法。
【請求項２６】
前記１つ又は２つ以上の接触領域からの対照的な色の繊維材料の枯渇又は堆積の除去によって対照的な色の汚染が提供される、請求項２５に記載の方法。
【請求項２７】
対照的な汚染が、取付領域における材料の累積的な汚染の度合いの指示によって提供される、請求項２５に記載の方法。
【請求項２８】
前記限られた耐久性を有する固定手段における応力を軽減させる手段として前記一方の衣料固定要素に１つ又は２つ以上のアパーチャが配設される、請求項１７ないし請求項２６の何れか一項に記載の方法。
【請求項２９】
衣料のための限られた耐久性を有する固定手段であって、所定の閉鎖強度で共に固定されるべき少なくとも２つの衣料要素であって、少なくとも１つの該衣料要素に、接着形成された接続手段が配設され、他の衣料要素が、該接続手段の接着剤との接触時に該接着剤を劣化させることができる材料からなる１つ又は２つ以上の接触領域から形成され又は該接触領域を有している、少なくとも２つの衣料要素と、前記材料との繰り返しの接触時に前記接続手段の劣化ひいては前記所定の閉鎖強度を有する該固定手段の許容可能な閉鎖回数を調整するために前記材料に付与される手段とからなる、衣料のための限られた耐久性を有する固定手段。
【発明の詳細な説明】
【技術分野】
【０００１】
本発明は、衣料の固定に関し、特に医療分野で使用する衣料用の短寿命の固定に関するものである。
【背景技術】
【０００２】
人体の手足その他の部位に着用された膨張可能な衣料を、血行を強化するための手段として使用することは、臨床的有益性が立証された十分に確立された技術である。
【０００３】
該衣料は通常は、治療すべき部位の周囲に該衣料を取り付け又は固定する手段の一部をなし又は該手段と一体をなすものとして膨張可能な空気袋を収容してなるものである。使用時には、血管を空にするように該空気袋が空気等の流体で満たされて拡張して人体に力を加える。該空気袋は、一定期間にわたり加圧状態に維持された後、該流体を解放し、次いで、かかるサイクルを繰り返す。空気袋の充填又は排気の割合は、用途によって１秒から数分の一秒まで変動し得るものである。
【０００４】
該衣料は、例えば、足に対して、通常は、足の甲にわたり更にかかとの周囲にマジックテープにより取り付けられる。
【発明の開示】
【発明が解決しようとする課題】
【０００５】
本発明の目的は、例えば短寿命で低コストの衣料に、又は臨床的又は商業的な理由で再利用しないことが推奨される物品に、適したものとなるような、限られた耐久性を有する閉鎖手段を使用することにより、衣料を足に有利に適合させることができる手段を提供することにある。
【０００６】
本書で開示する本発明の好適な実施形態は、主としてA-Vインパルスシステム（A-V Impulse System (R)）といった既存のフットインパルス技術装置を念頭に置いたものである。この限られた耐久性を有する閉鎖技術は、かかる用途以外にも、１つまたは２つ以上の部分の閉鎖を１回を越えるが複数回を越えないだけ確実に行うことを必要とする医療分野及びより広範な分野での用途が存在するものである。
【課題を解決するための手段】
【０００７】
本発明によれば、衣料のための限られた耐久性を有する固定手段が提供され、該固定手段は、所定の閉鎖強度で共に固定されるべき少なくとも２つの衣料要素であって、該衣料要素の各々に該固定手段を閉鎖させるよう互いに係合する固定部材が配設されている、少なくとも２つの衣料要素と、閉開される際の該固定手段の閉鎖強度の低下ひいては所定の閉鎖強度を有する該固定手段の許容可能な閉鎖回数を調整するための手段とからなる。
【０００８】
本発明のもう１つの特徴によれば、足用の短寿命のインパルス治療用衣料が提供され、該衣料は、足ラップ及び該足ラップを足に保持するための足首ストラップであって、該足ラップが、所定の圧力及びサイクル時間に従って足を周期的にポンピングするために足の足底動脈弓に配置される膨張可能な空気袋を含む、足ラップ及び足首ストラップと、第１及び第２の固定部材であって、その各々が、前記足ラップを所定位置に保持し及びインパルス圧力下での分離に抗するのに十分な所定の閉鎖強度で前記足ラップを足の周囲に保持するように、前記足首ストラップを前記足ラップに固定し、及び２つの衣料閉鎖部分を有し、その一方に、接着タブ又は接着処理領域が配設され、その他方が、該タブ又は処理領域の接着剤と接触した際に該接着剤を劣化させることができる材料から形成されている、第１及び第２の固定部材と、前記インパルス圧力によって前記固定手段が開くのを防止するために必要な前記接触強度を有する前記第１及び第２の固定装置の閉鎖又はその解除を行う許容可能な回数を決定するように前記接着タブ又は接着処理領域の劣化を調整するために前記材料に付与される手段とを備えたものである。
【０００９】
本発明の更に別の特徴によれば、衣料用の限られた耐久性を有する固定手段を提供するための方法が提供され、該方法は、衣料の１つの衣料固定要素に接着タブ及び／又は接着処理領域を配設し、前記衣料のもう１つの衣料固定要素に前記タブ又は処理領域の接着剤との接触時に該接着剤を劣化させることができる材料から形成された１つ又は２つ以上の接触領域を配設し、該１つまたは２つ以上の接触領域と前記タブ又は処理領域との接触が行われた際の該接着剤タブ又は接着処理領域の劣化を調整することにより所定の接触強度を有する前記固定手段の閉鎖及びその解除の許容可能な回数を決定するように該接触領域における前記材料を変更する、という各ステップからなるものである。
【００１０】
上記の３つの段落で広範に定義した本発明の他の特徴及び利点は、添付図面に関連する好適な実施形態についての以下の説明を読むことにより明らかとなろう。
【発明を実施するための最良の形態】
【００１１】
図１に示す既存の足取付型インパルス治療用衣料は、かかとストラップ2を含むラップ又はアッパー1からなり、その双方とも足に適合するよう解剖学的に構成されており、足及び足首の周囲に固定される。該衣料は、該アッパーの外面であるループ材料と係合するフック閉鎖式背3によって背において足に固定される。同様に、該衣料は、該アッパーの外面とのフック閉鎖式かかとストラップ4の閉鎖により、足上で前方へスライドするのが防止される。
【００１２】
該衣料の内部には、前記アッパーと足との間に空気袋が配置されており、該空気袋が、空気等の流体により数分の一秒で〜200mmHgまで急速に膨張させられて足に力を加え、最長３秒間だけ加圧された状態を維持した後に排気される。背による閉鎖及びかかとストラップによる閉鎖は、数時間から数日間にわたる治療期間にわたって繰り返し加えられる衝撃的な膨張力に故障することなく抗さなければならない。該衣料を長期にわたって使用することに加えて、看護師又は介護士は、該衣料を取り外し、及び該衣料を再装着する前に患者の皮膚の状態を調べる必要がある。該衣料の取り外し及び再装着を20回又は30回行う期間（例えば10日間）にわたり、その閉鎖システムの完全性が維持されなければならない。
【００１３】
短寿命用途向けの代替的な衣料では、高耐久性の従来のマジックテープシステムを指定する必要はないが、それにもかかわらず、閉鎖の完全性は短期間にわたって維持されなければならず、また最初の装着時及び足の１回の又は時折の調査時における調節が可能となるよう何らかの適応が行われなければならない。
【００１４】
図２は、代替的な短寿命型足インパルス技術用衣料を示す斜視図であり、本質的に図１と同様の装置であるが、アッパー1及び／又はかかとストラップ2が前記とは異なる材料から作製されている点で異なる。該衣料は、アッパーの外面と係合する接着閉鎖式背5により背において足の周囲に固定される。同様に、該衣料は、該アッパーの外面との接着閉鎖式かかとストラップ6の閉鎖により、足上で前方へスライドするのが防止される。
【００１５】
前記アッパーには繊維フォーム積層材料を使用するのが従来一般的であるが、短寿命の衣料には、用途にとって適当な強度、従動性、及び耐久性を有する不織材料を指定することが可能である。修正された構成では、従来の（繊維のループとのフック固定手段の係合による）機械的な閉鎖が、接着タブと不織材料の表面との間の接着結合に置換される。
【００１６】
図３は、例えば接着タブ8を使用した不織材料7の輪の端部間の接着結合式閉鎖の典型的な構成を示す斜視図である。
【００１７】
接着媒体と不織材料との間の接着結合式閉鎖の特徴は、閉鎖が分離される際に不織材料の繊維が該不織材料から接着媒体の表面へと転移することにある。接着剤の受容力と不織材料の絡み合いの程度に応じて、該転移は最小限から全てまで変動し得るが、交換により、（目詰まりすること又は被覆されることによる）接着の劣化もしくは（薄くなること又は引き裂かれることによる）不織材料の機能不全又はその両者を生じさせることが可能である。かかる条件は、閉鎖寿命を２回以上の閉鎖の実行及びその解除とすること又は多数回の閉鎖を防止することが目的である場合には、慎重に修正しなければならない。幾つかの代替的な技術を介してこれを実施して（例えば２〜５回のサイクルの閉鎖の実行及び解除にわたる）適当な閉鎖強度を特徴とする限られた耐久性を有する閉鎖システムを設計する態様について更に説明することとする。
【００１８】
不織材料から接着媒体への繊維の転移を妨げ、制限し、又は調整するために、表面を修正し又は脱落した繊維との直接接触を防止する手段が必須である。
【００１９】
図４及び図５ａ〜５ｄは、代替的な方法を示す断面図である。
【００２０】
図４において、２つの不織要素9,10は、該不織要素10の取付側10aに接着された表面修正領域11に接着タブ8が作用することにより結合されることになる。該表面修正領域は、不織要素の取付側に、又は詳細には接着タブ8が取り付けられることになるより全般的な領域に塗布された、紫外線硬化インク又は接着コーティング又はフィルム層という形をとることが可能である。該表面修正領域11の目的は、不織材料のほぼ大半に対して未接続な長さに沿った自由な繊維を部分的に結合させること、また露出した繊維の外面をコーティングして接着タブと結合する一層一様な表面を提供することにある。
【００２１】
図５ａに代替的な方法が記載されており、これにより、表面コーティングが、不織材料に塗布された別個のフィルム材料に置換される。不織要素9,10は、接着層13等の手段によって不織要素10の取付側10aに結合された再生セルロース、ポリプロピレン、ＰＶＣ、又はポリエステルといった材料から作成されたフィルム層12上に接着タブ8が作用することにより結合されることになる。
【００２２】
図５ｂでは、不織要素9,10は、例えば高周波、超音波、又は熱インパルス溶接といった手段によって例えば溶接詳細14で溶接されたフィルム領域12上に接着タブ8が作用することにより結合されることになる。
【００２３】
図５ｃでは、構成及び構造が更に修正されており、フィルム領域が不織要素10の裏側10bに取り付けられ、フィルム又はフィルムを含浸させた不織要素が取付側でアクセス可能となるようになっている。変形例のうち最も単純な例では、不織要素10を貫通する穿孔15で示すような一連のアパーチャが、接着タブに対してフィルム材料を部分的に露呈させるように構成することができる。
【００２４】
図５ｄに示す更なる変形例は、上述したような溶接技術における溶解状態で所定の溶接修正領域16においてフィルム層材料12を不織要素10を介して逆側から接着タブ取付側へと強制的に配設することにより、フィルム領域を提供するものとなる。
【００２５】
上記では、接着媒体の２回以上の適用に耐えるものとなるように不織要素の表面を作成する態様について説明した。更に、表面修正の品質を操作し又は異なる脱落特性を有する表面の比を２次元又は３次元領域で操作することにより、閉鎖機構の意図的な故障が可能である。
【００２６】
図６ａないし図６ｃは、初期の思想を示す断面図である。
【００２７】
図６ａ及び図６ｂにおいて、２つの不織要素9,10は、接着タブ8が不織要素10の取付側10a上の受容領域17に作用することにより結合されることになる。説明のためにのみ、受容領域17は接着タブ8と同じ面積で示されている。
【００２８】
図６ｃでは、閉鎖強度と反復固定回数との関係がグラフ化されている。各閉鎖を行う度に不織繊維が不織要素から接着タブへと転移し、その脱落した材料によって接着媒体が汚染されるにつれて接着結合の効果が低下していくことが理解されよう。数回の固定サイクル内で、接着結合は許容可能な（例えば足インパルス技術用衣料の衝撃的な膨張に抗するのに必要な）最小レベルを下回ることになる。
【００２９】
図６に類似する図７ａの断面図及び図７ｂの平面図では、２つの不織要素9,10は、接着タブ8が、不織要素10の取付側10ａ上の受容領域17上に作用することにより結合されることになる。該受容領域17は、表面修正領域17aと未処理又は通常の不織表面17bとからなる。説明のため、該表面修正領域17aが接着タブ8の半分の面積を有し、領域17a＋17bが接着タブ8と同じ面積であると見なすこととする。実際に、17bは、その周囲の領域10と全く同じものであり、このため、実際には特に明示する必要のないものである。この場合も、処理の説明を単純にするために、表面修正領域17aはテープに対して本質的に非破壊的なものであり、一方、これに比べて、未処理領域17b又は10は、１つの結合を分離させた後に完全に破壊的なものである、と見なすこととする。
【００３０】
接着タブ8が最初に結合される際に、該タブ領域の半分が表面修正領域17aと結合し、もう半分が未処理の不織表面17bと結合する。この理想的な状況では、完全な重複が達成され、接着タブと表面修正領域及び未処理領域との間の結合強度は同一であるものとする（実際には厳密にそうはならないが）。閉鎖が最初に開かれたとき、接着タブの半分が、表面修正領域による劣化なしで分離し、一方、もう半分は分離し繊維の脱落によって完全に破壊される。続いて接着タブが初回の結合と正確に同様に接着された場合、その結合強度は低下し、元の値の50％よりも大きくなることができなくなる。実際には、この理想は達成されることはない。これは、完全に重複する可能性が低く、接着タブ8と不織表面17bとの間の犠牲的な結合に幾分かの残留強度が存在し、及び接着タブ8の破壊できない結合と表面修正領域17aとの間の幾分かの強度低下が存在することになるからである。それにもかかわらず、閉鎖強度を、少数の閉鎖サイクルにわたり調整された態様で劣化させるように巧みに処理し操作することが可能である。
【００３１】
表面修正領域と未処理の不織表面との他の比も上記同様に実施することが可能であり、閉鎖システムの限られた耐用寿命を強化し又は短縮させるよう該比を適宜決定することができることは明らかである。
【００３２】
図８は、表面修正領域と未処理の不織表面との比の変更が複数の閉鎖サイクルにわたる相対強度に与える影響を示すグラフである。最小許容可能強度は、例えば最大強度の35％として示されている。表面修正領域と未処理の不織領域との比を50：50とすると、初回の閉鎖後の初期強度が100％であり、既述の理由により２回目の閉鎖後の強度が50％となる。明らかに、この比は、２回目の閉鎖が最小許容可能強度を上回った後に相対強度として閉鎖が機能することを許容し続けるものとなる。しかし、これと比較して、表面修正領域と未処理の不織領域との比が25：75である場合には、相対強度は、２回目の閉鎖後に最小許容可能強度未満となり、足インパルス技術用衣料に衝撃が加えられた際に閉鎖不良が生じることになる。50：50及び75：25の比の例の場合には、上述した実際の劣化が存在することになり、３回目及び４回目の閉鎖の後に期待される故障が生じることになる。
【００３３】
図９は、実際に表面修正領域及び未処理又は通常の不織領域の２個以上のセルが使用される場合を示す平面図である。要素11は、例えば既述の足インパルス技術用衣料の構成の一部であるアッパー1の表面修正領域であり、要素10aは不織要素10の取付側である。明らかに、要素11：10aの比及び比率は、接着タブが結合されることになる衣料の表面における変更可能な接着及び消耗の直線的なグリッドを提供するように表現することが可能なものである。
【００３４】
図１０は、前記グリッドを、例えば不規則な、又は一様でランダムな、表面修正領域11の配置へと置換することが可能であることを示す平面図であり、この場合、反復の影響は、全体10の一部としての未処理の不織領域10aと比較して及び接着閉鎖タブの領域と比較して重要であり又は重要でない。この例は、矩形で反復可能な大きさの領域11,10aを示しているが、これらは、例えば、単一若しくは複数の大きさを有する正方形、円形、及び六角形等の他の規則的な形状のもの、又は単一若しくは複数の大きさを有する不規則な自由な形状のものとすることが可能である。
【００３５】
図１１は、表面修正領域及び未処理の不織表面を非直線的な形態で構成することが可能であることを更に示す斜視図であり、この場合、各々の寸法及び相対的な比率は、更なる利益のために構成されている。表面修正要素17aは、その周囲のランド（例えば不織領域17b及びそれに隣接する表面修正要素（小）17c）よりも著しく大きな領域であり、この特定の例では、接着タブ8を含む不織要素9との閉鎖が行われる際にアッパーの不織繊維10の中央部分で優先的な接着が生じるようになっている。更に、例えば17dで示すような比較的大きな未処理の不織範囲（大）の領域で接着タブの消耗を最大限にすることが可能である。接着タブの閉鎖領域の非対称又は非直線的な配分の１つの実際的な利点は、足インパルス技術用衣料の衝撃により閉鎖手段に加えられるせん断力に抗するための最大限の強度を提供する一方で、除去が所望される場合に被覆部分を縁部から容易にはぎ取ることが可能になることである。
【００３６】
図１２は、異なる消耗能力を提供するよう表面修正領域を適合させる可能性を示す断面図である。この場合には、単純化のため、表面修正領域は規則的な大きさ、形状、及び配置のものであると仮定するが、これは必須ではない。
【００３７】
不織要素10は、17e,17f,17g等の表面修正要素を提供するよう取付側10ａ上に処理され、該処理は、取付側10ａ上の表面の繊維要素を圧縮するように、所定の重量又は厚さの媒体を不織要素上に付与するか又は一定の割り当ての媒体を異なる圧力で付与するよう選択される。３つの例が示されており、17eでは、その効果は単に突出する表面の繊維を1％として示す最小量だけコーティングし又は結合させて（すなわち99％が未処理）極めて弱い補強された不織要素を達成することであり、17fでは、コーティングは一層厚く、実質的に全ての表面繊維を完全にカプセル化し又は該繊維を完全に圧縮して、該表面の99％の結合（すなわち1％の未処理）を達成し、17gは、50％の結合に等しい中間点を示している。
【００３８】
明らかに、既述のように接着タブが適用される際に、頑強な表面修正要素17fは、弱い結合表面17eよりも多くの閉鎖の実行及び解除を可能とし、逆に、17eの領域は17fの場合よりも閉鎖の耐久性に関して一層限られた効果を有するものとなり、一方、中間範囲の選択肢17gを提供する構成は、例えば、１回よりも多くて５回よりも少ない閉開サイクルといった望ましい寿命の妥協点を提供することが可能である。
【００３９】
図12a及び図12bの両例では、17e及び17f等の所定かつ一定の重量又は厚さの媒体を付与し、これにより処理の適用方法、例えば印圧及び／又は媒体粘度が不織要素10による媒体の吸収速度を変更するように、処理を選択することも可能である。かかる方法は、例えば、大きくて高信頼性の厚さを有する弱く結合され容易に取り外すことができる表面修正領域から、不織要素にからみついた同種で永久的で除去不能な領域までの、設計上の選択を可能とするものとなる。
【００４０】
更に、図１１で説明したような思想は、閉鎖機構に対して３次元要素を構成するものと見なすことができ、該閉鎖機構は、図７ないし図１１に示した２次元構成と組み合わせることも組み合わせないことも可能である。
【００４１】
図１３ａは、インク、ワニス、接着剤、又は２つ以上の同様の媒体をプリントし又は塗布することにより変更可能な厚さの結合コートという形の図４で上述したような表面処理領域を得る手段を示す断面図、図１３ｂは分解斜視図である。
【００４２】
２つの不織要素9,10は、接着タブ8が不織要素10の取付側10ａ上の表面修正領域11に作用することにより結合されることになる。該表面修正領域は、不織要素の取付側又は詳細には接着タブ8が取り付けられることになる一層全体的な領域に塗布されたインク又は接着コーティングという形をとることが可能である。要素11aすなわち表面修正領域層１の媒体が、取付側10ａ上に直接塗布され、及び該領域全体にわたって一貫して塗布され、次いで要素11ｂすなわち表面修正領域層２が、（例えば穿孔で示すように）選択的な領域にのみ塗布されて、変更可能であるが調整された厚さ、重量、又は圧縮を有する表面繊維のほぼ全体的な被覆が生成される。前述のように、この３次元コーティング方法は、形状、大きさ、又は範囲の置換に関する如何なる制限にも拘束されるものではなく、一般に最大限の利益を得るべくゼロから全体の間で巧みに設計することが可能である。
【００４３】
更に、同じ方法を用いて、第１層11aを連続的なフィルム層とし、及び第２層11bを穿孔されたフィルム層とすることが可能である。両例において、層11a,11bを置換することが可能である。
【００４４】
図１４は、表面修正領域11により提供される結合コートを有する不織材料10の断面図を示しており、該表面修正領域11は該不織材料10内へのコーティングの可変浸透を達成するよう塗布されている。該表面修正領域は、真空装置19を伴って不織材料に塗布される。真空ポンプ20がチャンバ21内に負圧を生成し、次いで該チャンバが一連の適当な大きさ及び間隔を有する孔22を介して真空ベッド23の大気表面側に向けられる。低粘度の媒体が不織要素10の取付側10ａに塗布され、及び不織要素等の浸透性材料の裏側10ｂに負圧が選択的に加えられると、該媒体が局所的に優先的に又はほぼ３次元的な態様で不織要素内に吸い込まれる。明らかに、及び既に説明したように、その接着及び消耗特性は、不織要素内への媒体の吸収に従って修正されることになる。
【００４５】
図１５は、繰り返しの閉鎖適用を介して操作者又は看護師に対して接着タブの汚染を明示するために使用することができる有用な効果を示す斜視図である。
【００４６】
同図は、不織要素10の取付側10ａ上に結合された表面修正領域11に接着タブ8が作用することにより結合されることになる２つの不織要素9,10の斜視図を示している。該表面修正領域は、不織要素の取付側に又は詳細には接着タブ8が取り付けられることになる一層全体的な領域に塗布されたインク又は接着コーティングという形をとることが可能である。この変形例では、全体的な表面修正領域11は、例えば、一連の円形ドット、すなわち、接着タブ8に対してある程度の親和性を有する表面修正要素（ドット）17hとして塗布される。接着タブと表面修正領域との間で閉鎖及びそれに次ぐ開放が行われる度に、一定量の表面修正要素（ドット）及びその周囲の不織要素が脱落して、未処理の不織表面10a及び／又は表面修正要素17hから接着タブ8へと転移する。該表面修正要素（ドット）は、好適には、接着タブの外観と対照的になるよう着色され、これにより、不織要素の接着タブ上への脱落を識別することが可能になると共に、対照的な色による接着タブの汚染を、閉鎖の劣化の量を示すために使用される着色された汚染物質の全て及びレベルによって、明確に理解することが可能となる。
【００４７】
図１６ａは、媒体の転移を使用して操作者又は看護師へメッセージを伝える場合の更なる装飾を示す斜視図である。同図は、不織要素10の取付側10ａ上に結合された表面修正領域11上に接着タブ8が作用することにより結合されることになる２つの不織要素9,10の斜視図を示している。
【００４８】
この変形例では、表面修正領域11は、例えば、接着タブ8とある程度の親和性を有する説明文、記号、又はアイコン24として塗布される。接着タブと表面修正領域との間で閉鎖が行われ次いで開放されると、表面修正領域及びその周囲の不織要素の一定量の脱落が生じ、前記説明文、アイコン、又は記号が、不織表面10の取付側10ａ及び／又は説明文24を含む表面処理領域11から接着タブ8へと転移する。該説明文は、好適には接着タブと対照的になるよう着色され、これによりその情報が転写されて接着タブ上で明確に判読可能となる。メッセージを隠す手段として、上記で示唆したように２層表面修正領域により提供される全体的な被覆領域内に融合させることにより、鏡像として書くこと及び／又は埋め込まれて弱く結合されたテキストとして目立たなくすることが可能である。
【００４９】
図１６ｂの斜視図に示す代替的な手法は、表面修正領域からの媒体の除去を介してメッセージを伝えるものとなり、該メッセージは「反転させた」マークとして示されており、未加工の不織要素の色を有し、残りの積層されていない対照的な色の媒体により取り囲まれている。
【００５０】
表面修正領域11は、要素11a、説明文を含む表面修正層1、不織要素10の取付側10ａに塗布された記号又はアイコン24、及び更なる層すなわち要素11bからなり、該要素11bは11aの上部に塗布された表面修正領域層２であり、該表面修正領域層２は既述のような低耐久性の結合コートを前記説明的な領域に達成するものである。代替的に、11a,11bの位置を逆にすることも可能である。閉鎖を解除すると、表面修正領域及び／又は接着タブにおいて優先的に説明文が露呈することになる。
【００５１】
図１７は、短寿命の足インパルス治療用衣料の内面及び外面の斜視図であり、既述のようにアッパーの外側1bに対してアッパーの皮膚側1aを結合することにより形成される不織アッパー1からなる。この変形例では、プルタブ25が、アッパーの皮膚側から延びており、要素1aの一体形状の一部として、又は追加の結合部分として含まれる。接着タブ8は、アッパーの皮膚側1aの下側に固定され、及び既述のように足の周囲に着用された際に該衣料の他端における受容領域17と係合し、詳細には表面修正領域17aと係合するようになっている。更に、更なる接着要素がプルタブ25の下側に固定されており、これは、例えば、固定タブ26,27として示す２つの別個ではあるが同様の要素として図示されており、受容領域17において該衣料の他端と係合するようになっているが、表面修正領域17aを越えると、一般に未処理のすなわち通常の不織要素17b上に係合する。
【００５２】
この変形例における本質的な改善は、閉鎖要素を２つの別個の閉鎖領域に分割したことにあり、これにより複合型のデュアル閉鎖システムが提供される。
【００５３】
第１の閉鎖領域では、急速な膨張の応力に抗するための衣料の完全性は、表面修正領域17a上への接着タブ8の閉鎖によって達成される。この例では、接着タブ8と表面修正領域17aとの間の結合は、結合強度の大きな劣化を伴うことなく何度も繰り返し閉開を繰り返す能力を有する最大強度での結合が得られるよう設計され、すなわち、該衣料の意図された短寿命の範囲内で性能を大きく損なうことなく該衣料を多数回使用することが望ましい。。
【００５４】
第２の閉鎖領域では、限られた耐久性を有する衣料は、未処理のすなわち通常の不織要素17b上への固定タブ26,27の何れか若しくは両方の閉鎖によって確定される。この例では、第１の閉鎖領域の性能とは全く対照的に、固定タブ26,27と未処理のすなわち通常の不織要素17bとの間の結合は、好適には１回の閉鎖にしか使用できない適当な強度が得られるように設計される。
【００５５】
分離時に、固定タブ26,27は、不織要素の表面から脱落した繊維を拾うことにより汚染され、このため、再閉鎖が試行された場合に接着結合強度が低下することになる。図示のように、最初に固定タブ26のみを１回使用して閉開を行い、更に固定タブ27を使用することにより、２回の十分な閉鎖を行うことが可能である。更に、両方の固定タブ26,27を共に再度使用して（それらの結合強度が十分である場合）３回目の閉鎖利用が提供されるように接着強度を設計することが可能である。１つ又は複数の固定手段の様々な組み合わせ又は使用順序は、耐久性制限機能を提供するものとなり、本方法は、単純化のために上述した２つの固定タブに限定する必要のないものである、ということが理解されよう。
【００５６】
本説明全体を通して、接着に先立って接着面を保護するための解放ライナーについては言及しなかったが、これは、当業者であればこの要件について精通していると考えたためである。
【００５７】
この複合式デュアル閉鎖システムの寿命制限機能の提供と共に、１つ又は２つ以上の固定タブは、衣料が膨張した結果として接着タブ8の半球状の縁部が剥がれて持ち上がり始めないことを確実にするという本質的な役割を果たすものである。プルタブの長さ方向に沿った延長により、半球状の端部から離れた場所にプルタブを配設して、膨張による応力を低下させることが可能となり、該プルタブは、例えば膨張用空気袋の領域よりも応力及び膨張が一層低くなるアッパーの一領域で未処理の又は通常の不織要素17bに対して取り付けられ、衣料が足の周囲に輪として着用され閉鎖された際に接着タブ8の半球状の縁部を固定しまたは押さえつける効果が得られることになる。
【００５８】
図１７に関する上記構成を図１８ａ及び図１８ｄを参照して説明する。図１８ａは、単純化した断面図であり、この場合には、便宜上、足の断面は円形であると見なす。アッパー１は、互いに結合されたアッパーの皮膚側1aと接着タブ8を用いて輪として閉鎖することができるアッパーの外側1bとから構成されている。空気袋28が膨張すると、アッパー1に生じる輪の応力により、接着タブ8及びそのアッパーの皮膚側1aに対する結合とアッパーの外側1bとの間にせん断力が加えられる。更に、アッパーの皮膚側1aを介して加えられる低い輪応力とアッパーの外側1bを介して加えられる高い輪応力との間に差が存在し、これにより接着タブの外縁部が剥がれて時計方向（図示の例の場合）にカールすることになる。時間の経過と共に、この閉鎖は、徐々に開いてゆき、及び相次ぐ膨張及び／又は患者の動き及び寝具類との相互作用により分離して機能不良が生じることになる。
【００５９】
図１８ｂは、単純化した断面図であり、この場合には、便宜上、足の断面は円形であると見なす。アッパー１は、互いに結合されたアッパーの皮膚側1aと、接着タブ8及び更にプルタブ25上の固定タブ26及び／又は固定タブ27を用いて輪として閉鎖されるアッパーの外側1bとから構成されている。空気袋28が膨張すると、アッパー1に生じる輪の応力が上述の場合と同様に加えられるが、要素25,26及び／又は27の効果により、接着タブ8の外側端部をアッパーの外側1bに対して保持する内方への固定力が提供されて、剥がれ、カール、分離、及び機能不良の発生が防止される。
【００６０】
図１９ａは、短寿命の足インパルス技術用衣料のための完全な閉鎖システムを外側又は足が接触しない側から見た平面図である。全体的な概要及び足への取り付けについては図２も参照し、同じ符号を用いた特徴を比較されたい。図１９ａの右手側は接着閉鎖用背部5を示し、左側は受容領域17を示しており、それらは、足の周囲に輪として着用された際に共に固定されて、限られた耐久性を有する閉鎖を構成する。
【００６１】
アッパー1は、溶接詳細アッパー14aにより主な外周の周囲に結合されたアッパーの皮膚側1a及びアッパーの外側1bからなる。プルタブ25がアッパーの皮膚側1a上にしか含まれないことを除き、両アッパー要素は同様の輪郭形状を有するものである。
【００６２】
衣料の接着閉鎖用背部5の端部では、その周辺が拡張され、溶接詳細固定タブ14bによって固定タブ26の領域で更に局所的に結合されている。ほぼ半球状の形状の接着タブ8は、アッパー1の裏側（詳細にはアッパーの皮膚側1aの皮膚側）に接着される。この変形例では、全体的なより大きな半球形状は、前記半球状の縁部から、より小さな半球状の要素によって更に拡張されている。固定タブ26は、末端の指持ち上げ部であるプルタブ25を除いて前記拡張部分に接着される。固定タブ26は、別個の構成要素とすることが可能であり、又は接着タブ8の一部に含めることが可能である。接着タブ8及び固定タブ26については図１９ｂに関して更に詳細に説明されている。
【００６３】
重要なことに、溶接詳細アッパー14a及び溶接詳細固定タブ14bは、それらの間に応力軽減スリット29を配置することが可能となるように隔置された２つの別個の構成要素である。該応力軽減スリット29は、製造の便宜上、全体的なアッパーの外側からのプルタブ要素の分離を防止するためにのみ取り付けられる十分な不織ランドを残してプルタブ25の幅の大半にわたってアッパーの外側1bの厚さを貫通して穿孔されたものである。また、該応力軽減スリット29がアッパーの皮膚側1aを貫通しないことが理解されよう。接着閉鎖用背部5については図１９ｃに関して更に詳細に説明されている。
【００６４】
図１９ｄは、既述のように溶接詳細アッパー14aによりアッパーの皮膚側1aがアッパーの外側1bに結合した状態で衣料の受容領域17の端部を示す断面図である。
【００６５】
アッパーの皮膚側1aは、表面修正要素17aを塗布することにより、外側又は取付側10a上に示すようにアッパー面積の約１／３にわたって処理される。表面修正要素17aは、衣料が輪として足に着用された際に接着閉鎖用背部5の位置と合致するように配置され、実用的な目的では、例えば接着タブ8と比較してそれよりも大きくして一定範囲の足サイズ及び解剖学的な形状に適応するようにされる。
【００６６】
詳細には、受容領域17は、複数の特徴からなり、その各々は、異なる性能特性を有するものとなる。
【００６７】
全体的な領域は表面修正要素17aであり、該表面修正要素17aは、接着タブ8及び固定タブ26に良好な受容性を提供し、結合強度の大きな劣化を伴うことなく接着タブの多数回の閉開サイクルに耐え得るものであると見なされるべきである。
【００６８】
該表面修正要素17a内には、未処理の又は通常の不織要素17bの領域又は区域が存在し、図１９ａを更に参照すると、かかる領域は、この例では、輪形状で全体的な領域にわたって規則的に隔置されたものとして示されている。既述のように、未処理の又は通常の不織要素17bの領域の形状、配置、及び量若しくは面積は、性能を変更するために使用される１つの変数である。未処理の又は通常の不織要素17bの機能は、閉鎖のために接着タブ8及び固定タブ26との接着を提供し、その後に接着剤を詰まらせることにより接着結合の性能を抑制して、以前に結合された領域での再接着を阻止し又は低下させることにある。多数回の閉鎖のために指定された全体的な領域と比較して、この要素は本質的に１回しか使用できないことが意図されている。
【００６９】
受容領域17に含まれる未処理の又は通常の不織要素17bを更に処理して表面処理要素（ドット）17hを提供することが可能であり、該表面処理要素17hは、不織要素に接着されたもの、又は代替的に若しくは追加的に表面修正要素17aに直接付与されたものとすることが可能である。これらの特徴は、反復的なレイアウトの図１９ａに示されているが、既述のように他の形態をとることも可能である。表面処理要素（ドット）17hの目的は、最初の閉鎖時に接着タブ8及び固定タブ26との接着を提供し、その後に接着剤を詰まらせることにより接着結合の性能を抑制して、以前に結合された領域での再接着を阻止し又は低下させ、及び、不織要素から接着要素への繊維の転移をユーザにとって明瞭な態様で露呈させることにある。透明、自然色、白色、又は明るい色の接着剤と共に白色の不織材料を使用するのが望ましい場合には、接着剤上への不織繊維の堆積は、看護師又はユーザにより認識するのが困難となり得る。表面処理要素（ドット）17hが対照的な色からなる場合には、限られた耐久性を有する衣料が少なくとも１回閉開されたことを示す実施可能な手段が提供される。更に、実際の使用時には、初回に係合した全てのドットが転移することは予想されず、また２回目の閉鎖が初回の閉鎖と絶対的に合致することは考えにくいため、閉鎖が開かれる度により多くの対照的な色の材料が転写されて、複数回の閉開サイクルが完了していることの指示が提供されることになる。
【００７０】
異なる比の複数の領域又は単一の領域を使用し、何れかの要素に説明マーカーを伴って又は伴わずに、限られた耐久性を有する衣料の他の組み合わせを実施することができる。
【００７１】
図１９ｂは、接着閉鎖要素の詳細を平面図で示している。該接着閉鎖要素は、接着タブ部分8及び固定タブ26からなり、それらは、特定の接着品質を有する１つのものとして、又は、同一の接着品質を有する２つの部分もしくは異なる接着品質を有する２つの部分の何れかと非接着プルタブ25との組み合わせとして作成することが可能である。
【００７２】
図１９ｃは、接着閉鎖用背部5の断面図である。該接着閉鎖用背部5は、溶接詳細アッパー14aによりアッパーの外側1bに結合され、及び溶接詳細固定タブ14bによって固定タブ26の領域で結合された、アッパーの皮膚側1aからなる。応力軽減スリット29は、前記２つの溶接領域間に配置され、及びアッパーの外側1bのみを通って切断されたものである。接着タブ8及び固定タブ26は、この例では合致するよう図示されており、皮膚側10c上でアッパーの皮膚側1aに取り付けられる。プルタブ25は、固定タブ領域から延びて、アクセス可能な指持ち上げ部分を提供する。最初に固定タブ26を受容領域から剥がし次いで接着タブを剥がすことにより足から衣料を取り外すのに先立ち、前記指持ち上げ部分を把持して限られた耐久性を有する閉鎖を分離させることが可能となる。
【００７３】
既述のように、接着タブ、固定タブ、及び応力軽減スリットの組み合わせは、受容領域17を介してアッパーの外側1bに結合された接着タブ8の外側端部を保持する内方への固定力を提供して、患者の治療中に剥がれ、カール、分離、及び機能不良が発生するのを防止する働きをする。
【００７４】
最後の変形例として、図２０は、不織要素10の取付側10a上に直接作用する複合型接着タブ30によって２つの不織要素9,10を結合させる改良された構成の斜視図を示している。該複合型接着タブは、再使用可能要素30a及び劣化可能要素30bからなる。該要素30aは、繊維材料を拾う量が少なくて不織要素に対して選択的に再使用可能なものとなり、一方、要素30bは、その初期強度のために選択されたものであって不織材料から脱落した繊維によって容易に汚染されることができるものとなるよう設計される。このようにして、不織表面の調製にかかわりなく、限られた耐久性を有する相対的な強度を調整することが可能となる。
【図面の簡単な説明】
【００７５】
【図１】従来技術による足に取り付けられた足インパルス技術による衣料を示す斜視図である。
【図２】図１に似ているが本発明に従って衣料が構成されている斜視図である。
【図３】本発明による輪状の不織材料の端部間の接着による閉鎖の典型的な構成を示す斜視図である。
【図４】本発明の一実施形態による固定手段の断面図である。
【図５ａ】本発明による固定手段の様々な実施形態の断面図を示している。
【図５ｂ】本発明による固定手段の様々な実施形態の断面図を示している。
【図５ｃ】本発明による固定手段の様々な実施形態の断面図を示している。
【図５ｄ】本発明による固定手段の様々な実施形態の断面図を示している。
【図６ａ】本発明の更なる実施形態による固定手段の断面図を示している。
【図６ｂ】本発明の更なる実施形態による固定手段の平面図を示している。
【図６ｃ】図６ａ及び図６ｂに示す本発明の実施形態の閉鎖強度と繰り返しの固定との間の関係を示すグラフである。
【図７ａ】本発明の代替的な実施形態による固定手段の断面図を示している。
【図７ｂ】本発明の代替的な実施形態による固定手段の平面図を示している。
【図８】図８に示す閉鎖固定の複数の閉鎖サイクルにわたる相対強度を示すグラフである。
【図９】一好適実施形態による本発明の結果を達成するために通常の不織材料の表面を所定パターンに処理する手段を示す平面図である。
【図１０】図９のグリッド構成を本発明の一実施形態による表面が変更された領域の不規則な又は均等なランダム配置に置換することができる態様を示す平面図である。
【図１１】本発明の更なる実施形態の斜視図を示しており、この場合、表面が変更された領域及び未処理の不織領域が非直線的な形態に配置されている。
【図１２ａ】消耗能力の変形例を提供するために不織材料の表面を処理する更なる可能性を断面図で示している。
【図１２ｂ】消耗能力の変形例を提供するために不織材料の表面を処理する更なる可能性を断面図で示している。
【図１３ａ】本発明の一実施形態による表面処理領域を形成するための可変厚さの結合コートを得る手段の断面図を示している。
【図１３ｂ】本発明の一実施形態による表面処理領域を形成するための可変厚さの結合コートを得る手段の分解斜視図を示している。
【図１４】本発明による固定装置を提供するために不織材料の表面に結合コートを塗布する手段の断面図を示している。
【図１５】本発明による閉鎖固定手段の劣化を識別する手段を示す斜視図である。
【図１６ａ】本発明による閉鎖固定手段の劣化を識別するための更なる手段を示している。
【図１６ｂ】本発明による閉鎖固定手段の劣化を識別するための更なる手段を示している。
【図１７】複合型デュアル閉鎖システムを提供するための本発明による閉鎖固定手段の更なる変形例を斜視図で示している。
【図１８ａ】図１７に示す変形例により提供される本発明による閉鎖固定手段に対する改善された変形例を示している。
【図１８ｂ】図１７に示す変形例により提供される本発明による閉鎖固定手段に対する改善された変形例を示している。
【図１９ａ】本発明の思想を包含する短寿命の足インパルス技術用衣料のための完成した閉鎖システムを示す平面図である。
【図１９ｂ】本発明の思想を包含する短寿命の足インパルス技術用衣料のための完成した閉鎖システムを示す詳細図である。
【図１９ｃ】本発明の思想を包含する短寿命の足インパルス技術用衣料のための完成した閉鎖システムを示す断面図である。
【図１９ｄ】本発明の思想を包含する短寿命の足インパルス技術用衣料のための完成した閉鎖システムを示す断面図である。
【図２０】本発明による衣料用の固定手段の更なる変形例の斜視図を示している。
【図１】
2009502284.tif 000003
【図２】
2009502284.tif 000004
【図３】
2009502284.tif 000005
【図４】
2009502284.tif 000006
【図５ａ】
2009502284.tif 000007
【図５ｂ】
2009502284.tif 000008
【図５ｃ】
2009502284.tif 000009
【図５ｄ】
2009502284.tif 000010
【図６ａ】
2009502284.tif 000011
【図６ｂ】
2009502284.tif 000012
【図６ｃ】
2009502284.tif 000013
【図７ａ】
2009502284.tif 000014
【図７ｂ】
2009502284.tif 000015
【図８】
2009502284.tif 000016
【図９】
2009502284.tif 000017
【図１０】
2009502284.tif 000018
【図１１】
2009502284.tif 000019
【図１２ａ】
2009502284.tif 000020
【図１２ｂ】
2009502284.tif 000021
【図１３ａ】
2009502284.tif 000022
【図１３ｂ】
2009502284.tif 000023
【図１４】
2009502284.tif 000024
【図１５】
2009502284.tif 000025
【図１６ａ】
2009502284.tif 000026
【図１６ｂ】
2009502284.tif 000027
【図１７】
2009502284.tif 000028
【図１８ａ】
2009502284.tif 000029
【図１８ｂ】
2009502284.tif 000030
【図１９ａ】
2009502284.tif 000031
【図１９ｂ】
2009502284.tif 000032
【図１９ｃ】
2009502284.tif 000033
【図１９ｄ】
2009502284.tif 000034
【図２０】
2009502284.tif 000035
【国際調査報告】
2009502284.tif 000036
2009502284.tif 000037
2009502284.tif 000038